(57)【要約】【課題】中央にある調整軸で翼板の開閉を手動で調節でき、通気量を微調整でき、容易にフィルタを交換でき、製造費用を抑えて、容易に製造できる換気レジスタを提供する。【解決手段】両端が開口し壁面Ａに垂直に延びる円筒面をもつ中空のフレーム３０と、フレームの中心を壁面に垂直に延びる垂直軸Ｘに沿って延び回転可能にフレームに軸止されるカム軸３１と、間にカム軸を挟んでフレームに軸止されその中空を遮断可能な２つの翼板３２と、フレームの前方開口３０ａを脱着可能に覆うフェイス部５０と、フェイス部の垂直軸上に軸止され脱着可能にカム軸に連結する調整軸５１とを有する。カム軸は、垂直軸Ｘを中心とする円筒面３１ａに２つのらせん溝３１ｂをもつ。翼板は、らせん溝に嵌まりカム軸の回転によりらせん溝に沿って移動可能な誘導突起３２ａをもち、誘導突起の移動によりフレームの中空を遮断する閉鎖位置と中空を開放する開放位置との間で回転する。【選択図】図２
2015218961.tif 000002
【特許請求の範囲】
【請求項１】
壁面に垂直に前後に延びる垂直軸を中心とする中空円筒形であり両端が開口し該壁面の中空貫通穴に嵌め込まれたフレームと、
前記垂直軸に沿って延び前記フレームに回転可能に軸止されたカム軸と、
前記カム軸を間に挟み前記フレームに回転可能に軸止され前記フレームの中空を遮断可能な２つの翼板と、を有するレジスタ本体と、
前記フレームの前方側の前方開口を脱着可能に覆うフェイス部と、
前記フェイス部の前記垂直軸上に回転可能に軸止され垂直軸に沿って後方に延びる調整軸と、を有するルーバ部と、を備え、
前記調整軸は、その後端部が前記カム軸の前端部に脱着可能に連結し回転動力を伝達し、
前記カム軸は、前記垂直軸を中心とする円筒面にらせん状に設けられた２つのらせん溝をもち、
前記翼板は、前記らせん溝に嵌まり前記カム軸の回転により該らせん溝に沿って前後に移動可能な誘導突起をもち、前記誘導突起の前記移動により、前記フレームの前記中空を遮断する閉鎖位置と該中空を開放する開放位置との間で回転する、ことを特徴とする換気レジスタ。
【請求項２】
前記翼板は、前記壁面に平行に一端から他端に向けて延びる仮想軸を有し、
前記２つの翼板は、互いに同じ形状であり、互いに平行に延びる２つの前記仮想軸間に前記カム軸を挟み、前記垂直軸を中心に互いに１８０度回転した状態で前記仮想軸を中心として回転可能に前記フレームに軸止され、
前記誘導突起は、前記垂直軸より前記一端側の前記仮想軸上から突出する、ことを特徴とする請求項１に記載の換気レジスタ。
【請求項３】
前記翼板は、前記仮想軸から前記フレームの内周面までの前記中空を遮断可能な半円形状の主翼板と、
２つの前記仮想軸間の前記中空を遮断し前記カム軸を通す半円形状の切欠きを有する副翼板と、を有し、
前記主翼板と前記副翼板は、前記仮想軸上で連結し、
前記副翼板は、前記仮想軸に平行であり前記垂直軸側にオフセットした内縁を有し、
前記内縁は、前記翼板が前記閉鎖位置にあるときに前記２つの副翼板が互いに重なるための辺縁段差を有し、
前記主翼板は、前記翼板が前記閉鎖位置にあるときに、前記仮想軸から前記フレームの内周面までの前記中空を遮断し、前記翼板が前記開放位置にあるときに、前記垂直軸に近接した位置に位置する、ことを特徴とする請求項２に記載の換気レジスタ。
【請求項４】
前記辺縁段差は、前記垂直軸より前記仮想軸の前記一端側と他端側とで互い違いになっている、ことを特徴とする請求項３に記載の換気レジスタ。
【請求項５】
前記カム軸の前記前端部と前記調整軸の後端部とは、脱着可能な軸継手を構成し、
前記フェイス部は、フィルタを介して前記フレームの前方側の前記前方開口を覆い、
前記調整軸は、前記フィルタの中央穴を貫通して前記カム軸と連結する、ことを特徴とする請求項１に記載の換気レジスタ。
【請求項６】
前記副翼板は、前記翼板が前記閉鎖位置にあるときに、前記仮想軸から前記垂直軸に平行に延びる軸側副翼板と、
前記軸側副翼板の反仮想軸側の端部から前記壁面に平行に前記垂直軸に向けて延びる縁側副翼板と、を含み、
前記内縁は、前記縁側副翼板の端部である、ことを特徴とする請求項３または４に記載の換気レジスタ。
【請求項７】
前記らせん溝は、その端部に、前記翼板が閉鎖位置もしくは開放位置に位置するときに前記誘導突起が脱着可能に嵌り係止される係止窪みを有する、ことを特徴とする請求項１に記載の換気レジスタ。
【請求項８】
前記誘導突起は、可撓性もしくは弾性のある合成樹脂からなる、ことを特徴とする請求項１に記載の換気レジスタ。
【請求項９】
前記フレームは、前方の内径がそれより後方の該内径より小さく形成されたフレーム内段差を前記内周面に含み、
前記主翼板の外縁は、前記翼板が前記閉鎖位置にあるときに、前記フレーム内段差に当接する、ことを特徴とする請求項３に記載の換気レジスタ。
【発明の詳細な説明】
【技術分野】
【０００１】
本発明は、建物の壁面に換気口もしくは給気口として設けられ手動で開閉する換気レジスタに関する。
【背景技術】
【０００２】
換気レジスタは、室内温度の調整や外気を室内に取り込むために、換気口もしくは給気口として室内の壁面に取り付けられるものである。内部に取り付けられたバタフライ式の翼板を手動で開閉できる換気レジスタとして、例えば特許文献１や２が知られている。
【先行技術文献】
【特許文献】
【０００３】
【特許文献１】特開２００１−２６３７８３号公報
【特許文献２】特開平７−２６０２４３号公報
【発明の概要】
【発明が解決しようとする課題】
【０００４】
換気レジスタの通気量を調節する調節具が換気レジスタの中央にあると、調節具の回転が安定し使いやすいことから、利用者には、換気レジスタの中央に調節具があるものが好まれる傾向がある。
しかし、特許文献１と２に開示されたようなバタフライ式の翼板を手動で開閉できる換気レジスタは、いずれも調節具が換気レジスタの下端に設けられていた。
【０００５】
従来、調整具が中央に設けられた手動式の換気レジスタで、翼板と調整具の間に設けられたフィルタを容易に交換できるものは無かった。しかし室内に綺麗な空気を取り込むためには、換気レジスタにフィルタは必要である。またその機能を維持するためには、利用者がフィルタを容易に交換できる必要がある。そのため、手動式の換気レジスタで、翼板と調整具の間に設けられたフィルタを容易に交換できるものが求められていた。
【０００６】
特許文献２に開示された換気レジスタでは、係合レバーに係合した開閉操作部材が弾性のある部材で形成されており、その開閉操作部材が弾性によりわずかに曲がりながら係合レバーの位置をずらすことで、翼板が開閉する。この構成により開閉操作部材は、曲がった位置で停止することができないため、翼板を開放か閉鎖のどちらかの位置でしか止めることができなかった。そのため特許文献２の換気レジスタは、翼板の開閉を微調整することができず、通気量を微調整することができなかった。
【０００７】
また、特許文献１と２の換気レジスタに使用された左右の翼板は、互いに異なる形状をしていた。そのため特許文献１と２の換気レジスタでは、左側と右側の翼板用の２つの金型が必要であり、その金型の分、製造費用が高くなっていた。
【０００８】
本発明は上述した問題点を解決するために創案されたものである。すなわち本発明の目的は、中央にある調整軸で翼板の開閉を手動で調節でき、通気量を微調整でき、フィルタを備える場合に容易にフィルタを交換でき、製造費用を抑えて、容易に製造できる換気レジスタを提供することにある。
【課題を解決するための手段】
【０００９】
本発明によれば、壁面に垂直に前後に延びる垂直軸を中心とする中空円筒形であり両端が開口し該壁面の中空貫通穴に嵌め込まれたフレームと、
前記垂直軸に沿って延び前記フレームに回転可能に軸止されたカム軸と、
前記カム軸を間に挟み前記フレームに回転可能に軸止され前記フレームの中空を遮断可能な２つの翼板と、を有するレジスタ本体と、
前記フレームの前方側の前方開口を脱着可能に覆うフェイス部と、
前記フェイス部の前記垂直軸上に回転可能に軸止され垂直軸に沿って後方に延びる調整軸と、を有するルーバ部と、を備え、
前記調整軸は、その後端部が前記カム軸の前端部に脱着可能に連結し回転動力を伝達し、
前記カム軸は、前記垂直軸を中心とする円筒面にらせん状に設けられた２つのらせん溝をもち、
前記翼板は、前記らせん溝に嵌まり前記カム軸の回転により該らせん溝に沿って前後に移動可能な誘導突起をもち、前記誘導突起の前記移動により、前記フレームの前記中空を遮断する閉鎖位置と該中空を開放する開放位置との間で回転する、ことを特徴とする換気レジスタが提供される。
【００１０】
また前記翼板は、前記壁面に平行に一端から他端に向けて延びる仮想軸を有し、
前記２つの翼板は、互いに同じ形状であり、互いに平行に延びる２つの前記仮想軸間に前記カム軸を挟み、前記垂直軸を中心に互いに１８０度回転した状態で前記仮想軸を中心として回転可能に前記フレームに軸止され、
前記誘導突起は、前記垂直軸より前記一端側の前記仮想軸上から突出する。
【００１１】
また前記翼板は、前記仮想軸から前記フレームの内周面までの前記中空を遮断可能な半円形状の主翼板と、
２つの前記仮想軸間の前記中空を遮断し前記カム軸を通す半円形状の切欠きを有する副翼板と、を有し、
前記主翼板と前記副翼板は、前記仮想軸上で連結し、
前記副翼板は、前記仮想軸に平行であり前記垂直軸側にオフセットした内縁を有し、
前記内縁は、前記翼板が前記閉鎖位置にあるときに前記２つの副翼板が互いに重なるための辺縁段差を有し、
前記主翼板は、前記翼板が前記閉鎖位置にあるときに、前記仮想軸から前記フレームの内周面までの前記中空を遮断し、前記翼板が前記開放位置にあるときに、前記垂直軸に近接した位置に位置する。
【００１２】
また前記辺縁段差は、前記垂直軸より前記仮想軸の前記一端側と他端側とで互い違いになっている。
【００１３】
また前記カム軸の前記前端部と前記調整軸の後端部とは、脱着可能な軸継手を構成し、
前記フェイス部は、フィルタを介して前記フレームの前方側の前記前方開口を覆い、
前記調整軸は、前記フィルタの中央穴を貫通して前記カム軸と連結する。
【００１４】
また前記副翼板は、前記翼板が前記閉鎖位置にあるときに、前記仮想軸から前記垂直軸に平行に延びる軸側副翼板と、
前記軸側副翼板の反仮想軸側の端部から前記壁面に平行に前記垂直軸に向けて延びる縁側副翼板と、を含み、
前記内縁は、前記縁側副翼板の端部である。
【００１５】
また前記らせん溝は、その端部に、前記翼板が閉鎖位置もしくは開放位置に位置するときに前記誘導突起が脱着可能に嵌り係止される係止窪みを有する。
【００１６】
また前記誘導突起は、可撓性もしくは弾性のある合成樹脂からなる。
【００１７】
また前記フレームは、前方の内径がそれより後方の該内径より小さく形成されたフレーム内段差を前記内周面に含み、
前記主翼板の外縁は、前記翼板が前記閉鎖位置にあるときに、前記フレーム内段差に当接する。
【発明の効果】
【００１８】
上述した本発明の換気レジスタによれば、フェイス部に取り付けられた調整軸と、フレームに取り付けられたカム軸とを嵌合させることにより、翼板を開閉する１本の軸を構成する。言い換えると、本発明の換気レジスタは、調整軸が脱着可能にカム軸に嵌合して、調整軸とカム軸とが１本の軸として機能する。そしてルーバ部をレジスタ本体から外すことにより、調整軸とカム軸との結合が外れ、ルーバ部をレジスタ本体に再度取り付けることにより、調整軸とカム軸が噛み合い、再び１本の軸として機能するように構成されている。
この構成により、例えば本発明の換気レジスタにフィルタを取り付けて使用する場合であっても、フレームから外したフェイス部の裏側（後方側）から古くなったフィルタを外し、新しいフィルタの中央穴に調整軸を通してフィルタをフェイス部の裏側に取り付け、ルーバ部を再度レジスタ本体に取り付けるだけで、容易に利用者がフィルタを交換することができる。
【００１９】
また誘導突起は、らせん溝内を移動する間、絶えずらせん溝の内面に接している。そのため誘導突起とらせん溝との間で生じる摩擦抵抗によりらせん溝の途中（らせん溝の両端の間）で誘導突起を止めることができるため、翼板の開閉の具合を微調整することができる。
これにより本発明の換気レジスタは、その中空を通る風量を微調整することができる。
【００２０】
その上、本発明の調整軸とカム軸は、互いに嵌合して１本の軸として機能するときには、フェイス部とフレームとの２点で回転可能に軸止されるため、調整軸とカム軸は、ぶれずに安定して回転することができる。
【００２１】
さらに本発明の換気レジスタは、カム軸の円筒面に設けられたらせん溝内に翼板から突出した誘導突起が移動可能に嵌合するので、カム軸が垂直軸を中心に回転することにより、誘導突起がらせん溝に沿って移動する。翼板はフレームに軸止されている。それにより翼板は、フレームの中空を遮断する閉鎖位置と中空を開放する開放位置との間で回転することができる。
【００２２】
それに加えて本発明の換気レジスタは、調整軸とカム軸がレジスタ本体の中央（垂直軸上）に設けられているので、２つの翼板を互いに同じ形状に形成することができる。それにより、１つの金型で２つの翼板の両方を成形できる。すなわち、１つの金型で翼板を複数成形し、それを、垂直軸を中心に互いに１８０度回転させた状態でフレームに取り付けるだけで、本発明の換気レジスタを製造することができる。
そのため、本発明の換気レジスタは金型が少ない分、従来の換気レジスタより製造費用を抑えることができる。
【００２３】
またカム軸の円筒面に設けられた誘導突起を誘導するための溝（らせん溝）はらせん状である。そのため、カム軸を金型で形成した場合、らせん溝の形状に合わせて捩じりながら垂直軸の軸方向に引き出すことにより、金型からカム軸を容易に引き出すことができる。そのため、本発明のカム軸は、らせん溝を有する形状により、金型で容易に製造することができる。
【図面の簡単な説明】
【００２４】
【図１】本発明の換気レジスタの斜視図である。
【図２】図１のＡ−Ａ矢視図である。
【図３】図２の部分拡大図である。
【図４】本発明の換気レジスタの分解図である。
【図５】本発明のルーバ部とフィルタの説明図である。
【図６】本発明のレジスタ本体の説明図である。
【図７】本発明のカム軸の説明図である。
【図８】図６（Ａ）のＤ−Ｄ矢視図である。
【図９】本発明の翼板の説明図である。
【発明を実施するための形態】
【００２５】
以下、本発明の実施形態を図面に基づいて説明する。なお、各図において共通する部分には同一の符号を付し、重複した説明を省略する。
【００２６】
図１は、本発明の換気レジスタの斜視図である。図２は、図１のＡ−Ａ矢視図である。図３は、図２の部分拡大図である。図４は、本発明の換気レジスタの分解図である。
本発明の換気レジスタ１は、壁面Ａに嵌め込むレジスタ本体３と、レジスタ本体３の開口を脱着可能に覆うルーバ部５とを備える。図２と図４に示すようにレジスタ本体３は、フレーム３０、カム軸３１、及び２つの翼板３２を有する。
【００２７】
なお以下の説明において、壁面Ａに平行な面によるフレーム３０の断面の中心を通り壁面Ａに垂直に前後に延びる軸線を、垂直軸Ｘとする。また以下の説明で、垂直軸Ｘの軸方向における壁面Ａ側（室内側）を前方とし、その反対側を後方とする。
【００２８】
はじめに、ルーバ部５について説明する。
図５は、本発明のルーバ部とフィルタの説明図である。図５（Ａ）は側面図であり、図５（Ｂ）は、垂直軸Ｘを含む平面による矢視図である。
【００２９】
図５（Ｂ）に示すようにルーバ部５は、フェイス部５０と調整軸５１を有する。また図４に示すようにルーバ部５は、フィルタ７を介してレジスタ本体３の開口（すなわち後述するフレーム３０の前方開口３０ａ）を覆う。
【００３０】
フェイス部５０は、壁面Ａの内部に嵌め込まれた後述するフレーム３０（図２と図４を参照）の前方側の前方開口３０ａを脱着可能に覆うカバーであり、利用者が室内から換気レジスタ１を見たときに、壁面Ａの表面に露出して見える部分である。フェイス部５０の裏側（後方）には、中心に中央穴７ａをもつフィルタ７が取り付けられている。フィルタ７は、その中央穴７ａに調整軸５１を通した状態で、フェイス部５０とレジスタ本体３との間に脱着可能に設けられる。
なお、本発明の換気レジスタ１を使用する際には、フィルタ７を取り付けなくてもよい。
【００３１】
フェイス部５０には、図１と図４に示すように複数の羽板５０ａが互いに間隔を隔てて設けられている。その羽板５０ａの間には、レジスタ本体３の内部と外部を連通させるスリット５０ｂが設けられている。フェイス部５０は、羽板５０ａとスリット５０ｂを有する構成により、レジスタ本体３の内部が見えないように室内から壁面Ａをみたときの景観を保ちつつ、レジスタ本体３の内外（フレーム３０の中空３０ｂと室内）の通気性を保っている。
【００３２】
図１に示す実施例のフェイス部５０は、調整軸５１を中心とした円形に設けられている。この形状により、フェイス部５０の裏側（後方）には、中心に中央穴をもつ市販の円形のフィルタを取り付けることができる。そのため図１に示す実施例の換気レジスタ１は、市販のフィルタを使用できる分、製造費用を抑えることができる。
【００３３】
なお、本発明のフェイス部５０の形状はこれに限らず、他の形状でもよく、例えば、矩形でもよい。
【００３４】
また図１に示す実施例の羽板５０ａとスリット５０ｂは、調整軸５１を中心として同心円状に設けられているが、本発明の羽板５０ａとスリット５０ｂの形状はこれに限らない。例えば本発明の換気レジスタ１は、直線状に延びる羽板５０ａとスリット５０ｂが並列に複数並べられた形状のフェイス部５０を有していてもよい。
【００３５】
また図２、図３に示すようにフェイス部５０は、調整軸５１を貫通させる第１軸受穴５０ｃを垂直軸Ｘ上に有する。第１軸受穴５０ｃは、その内周面として、垂直軸Ｘを中心とする円筒面を有する穴である。第１軸受穴５０ｃは、この内周面が調整軸５１の外周面に摺動自在に接することにより、調整軸５１を、壁面Ａに垂直に回転可能に軸止する。
【００３６】
調整軸５１は、垂直軸Ｘを中心として回転可能にフェイス部５０の第１軸受穴５０ｃに軸止された、垂直軸Ｘに沿って延びる軸である。
例えば本発明の調整軸５１は、ツマミ部５２と継手部５３を有する。
【００３７】
ツマミ部５２は、垂直軸Ｘを中心に人が手で回せるように、前方の端部が、第１軸受穴５０ｃから室内側に突出している。ツマミ部５２は、垂直軸Ｘに沿って後方に向けて延び、後方側の端部が継手部５３と結合する。
【００３８】
継手部５３は、その前方端部が、ツマミ部５２の後方側（レジスタ本体３側）の端部に結合され、ツマミ部５２の回転に同期して垂直軸Ｘを中心に回転する。
【００３９】
ツマミ部５２と継手部５３との結合は、例えば図２、図３や図５（Ｂ）に示すようにキー５４とキー溝５５との嵌合により、垂直軸Ｘを中心とするツマミ部５２の回転動力が継手部５３へ伝達されるものであってよい。キー５４は、継手部５３に設けられていてもツマミ部５２に設けられていてもよい。同様にキー溝５５は、キー５４に嵌合する位置であれば、ツマミ部５２に設けられていても、継手部５３に設けられていてもよい。またツマミ部５２の回転動力を継手部５３へ伝達できれば、ツマミ部５２と継手部５３がその他の方法で結合されていてもよい。
【００４０】
なお、図２、図３や図５（Ｂ）に示した実施例では、ツマミ部５２と継手部５３とが結合することにより調整軸５１を構成するが、本発明の調整軸５１は、ツマミ部５２と継手部５３が一体に成形されていてもよい。
【００４１】
図２、図３、図５（Ａ）に示すように、継手部５３の後方側の端部（すなわち後述するカム軸３１側の端部、以下単に後端部５３ａとする）は、フェイス部５０の第１軸受穴５０ｃから後方へ突出している。そして継手部５３の後端部５３ａには、後述するカム軸３１の前方側の端部（以下、前端部３１ｃ）に設けられた軸継手と脱着可能に噛み合う軸継手が構成されている。この構成により継手部５３の後端部５３ａは、カム軸３１の前端部３１ｃに脱着可能に連結し、垂直軸Ｘを中心とした継手部５３の回転動力をカム軸３１に伝達する。
【００４２】
また継手部５３の後端部５３ａには、カム軸３１の前端部３１ｃに設けられた円筒形状の円筒孔３１ｇに嵌合する円筒突起５３ｂが設けられている。円筒突起５３ｂは、垂直軸Ｘを中心とする円筒面をその外周面として有する。
【００４３】
次に、レジスタ本体３について説明する。
図６は、本発明のレジスタ本体の説明図である。図６（Ａ）は、前方から見たときの平面図であり、図６（Ｂ）は図６（Ａ）のＢ−Ｂ矢視図である。
【００４４】
レジスタ本体３は、フレーム３０、カム軸３１、及び２つの翼板３２を有する。
本発明のフレーム３０は、壁面Ａに垂直に延び垂直軸Ｘを中心とする円筒面をもつ中空円筒形の枠部３０ｅを有する。フレーム３０は、枠部３０ｅの内部に中空３０ｂを有し、その両端は開口する。
【００４５】
フレーム３０は、垂直軸Ｘから離れる半径方向に延びる鍔部３０ｆを前方の開口（以下、単に前方開口３０ａ）に有する。図２に示したようにフレーム３０は、枠部３０ｅが壁面Ａの中空貫通穴に嵌め込まれた状態で、その鍔部３０ｆが壁面Ａの表面に露出し、壁面Ａに固定される。なお、フェイス部５０を取り付けた状態では、フェイス部５０が鍔部３０ｆを覆い隠す。
【００４６】
図６（Ｂ）に示すようにフレーム３０の内周面３０ｄには、翼板３２を回転可能に軸止するための係止部３０ｇが、後述する仮想軸Ｍ上に設けられている。図６（Ｂ）に示した実施例の換気レジスタ１は、係止部３０ｇに嵌る押え具３８を有する。係止部３０ｇは、フレーム３０の内周面３０ｄから突出した仮想軸Ｍに平行に延びる円筒面を有する。図６（Ｂ）に示した実施例の換気レジスタ１は、翼板３２から垂直軸Ｘに垂直に突出する軸突起３２ｂを係止部３０ｇと押え具３８で挟むことにより、翼板３２を回転可能にフレーム３０に軸止する。
【００４７】
なお、フレーム３０に対する翼板３２の軸止の方法は、翼板３２が回転可能に軸止されるのであれば、これに限らない。例えばフレーム３０が翼板３２を軸止する方法として、フレーム３０の内周面３０ｄに、軸突起３２ｂの先端を嵌める窪みが設けられていてもよい。もしくは、翼板３２に向けて突出する突起がフレーム３０の内周面３０ｄに設けられ、その突起が翼板３２に設けられた窪みに嵌められていてもよい。または、仮想軸Ｍ上の枠部３０ｅと翼板３２に、仮想軸Ｍに沿って穴が設けられ、枠部３０ｅと翼板３２のその穴にワイヤ等の軸を通すことで、枠部３０ｅに翼板３２を回転可能に軸止させてもよい。
【００４８】
またフレーム３０は、カム軸３１を回転可能に軸止するための第２軸受穴３０ｈを垂直軸Ｘ上に有する。図２と図６に示した実施例の第２軸受穴３０ｈは、図２に示すように枠部３０ｅ内の中空３０ｂを横切り垂直軸Ｘに直交する支持棒３０ｉに設けられた穴であり、その内周面として、垂直軸Ｘを中心とする円筒面を有する。支持棒３０ｉは、仮想軸Ｍに平行に設けられていることが好ましい。これにより、支持棒３０ｉがフレーム３０内の通気を妨げずに済む。しかし支持棒３０ｉは、仮想軸Ｍと平行に設けられていなくてもよい。また支持棒３０ｉの形状は、フレーム３０の両端の開口の通気を妨げずに垂直軸Ｘ上に第２軸受穴３０ｈを設けられる形状であれば、その他の形状でもよい。
【００４９】
またフレーム３０は、垂直軸Ｘの軸方向において、前方の内径が、それより後方の内径より小さく形成されたフレーム内段差３０ｃをその内周面３０ｄに有することが好ましい。
【００５０】
カム軸３１は、図３に示すように、フレーム３０の第２軸受穴３０ｈに回転可能に軸止され、垂直軸Ｘに沿って前方（フェイス部５０側）に向けて延びる軸である。
カム軸３１は、垂直軸Ｘを中心とする円筒面３１ａを有し、その円筒面３１ａより前方に、調整軸５１の後端部５３ａに連結可能な前端部３１ｃを有する。
【００５１】
カム軸３１の前端部３１ｃは、脱着可能に調整軸５１の後端部５３ａに噛み合う軸継手を構成する。すなわち調整軸５１を垂直軸Ｘの軸方向における後方に移動させることにより、調整軸５１の後端部５３ａをカム軸３１の前端部３１ｃに嵌合させることができる。同様に、調整軸５１を垂直軸Ｘの軸方向における前方に移動させることにより、カム軸３１の前端部３１ｃから調整軸５１の後端部５３ａを外すことができる。
【００５２】
図７は、本発明のカム軸の説明図である。図７（Ａ）は側面図であり、図７（Ｂ）は図７（Ａ）のＣ−Ｃ矢視図である。
カム軸３１の前端部３１ｃと調整軸５１の後端部５３ａとは、例えば、図５や図７に示すような互いに噛み合う凹凸を、それぞれが有していることが好ましい。もしくは、例えばカム軸３１の前端部３１ｃと調整軸５１の後端部５３ａのいずれか一方に凸部を設け、他方に、その凸部が嵌る凹部を設けてもよい。
【００５３】
なお、カム軸３１の前端部３１ｃと調整軸５１の後端部５３ａの形状は、カム軸３１と調整軸５１とを脱着でき、かつ調整軸５１の回転動力をカム軸３１に伝達できる形状であれば、その他のものでもよい。
【００５４】
またカム軸３１の前端部３１ｃには、垂直軸Ｘを中心とする円筒面を内周面として有する円筒形状の円筒孔３１ｇが設けられている。円筒孔３１ｇは、調整軸５１の円筒突起５３ｂに嵌合する。
【００５５】
それにより、調整軸５１とカム軸３１が一体に嵌合し、１本の軸として機能する。また調整軸５１とカム軸３１が結合した軸は、フェイス部５０の第１軸受穴５０ｃと、フレーム３０の第２軸受穴３０ｈとの２箇所で軸止される。そのため、一体となった調整軸５１とカム軸３１は、ぶれることなく安定して垂直軸Ｘを中心に回転することができる。
【００５６】
またカム軸３１は、垂直軸Ｘを中心として半径方向に円筒面３１ａから突出する当接突起３１ｈを有することが好ましい。当接突起３１ｈは、翼板３２と接する位置に設けられる。
本発明の換気レジスタ１は、翼板３２が閉鎖位置Ｐにあるときに当接突起３１ｈの前方側の面と翼板３２の一部とが密着するので、高い密閉性（フレーム３０の中空３０ｂの遮断性）を得ることができる。
【００５７】
カム軸３１は、その円筒面３１ａに、らせん状に設けられた２つのらせん溝３１ｂを有する。
【００５８】
図８は、図６（Ａ）のＤ−Ｄ矢視図である。図８（Ａ）は、翼板３２が閉鎖位置Ｐにあるときの図であり、図８（Ｂ）は翼板３２が開放位置Ｑにあるときの図である。なお、説明のため図８では、フレーム３０の断面の描写を省略している。
後述する翼板３２の誘導突起３２ａは、その先端３２ｅ（後述の図９を参照）が、これらのらせん溝３１ｂに移動可能に嵌まる。そしてカム軸３１が垂直軸Ｘを中心に回転することにより、翼板３２の誘導突起３２ａがらせん溝３１ｂに沿って前後方向に移動する。
【００５９】
なお、翼板３２の誘導突起３２ａが垂直軸Ｘに直交する方向の移動することにより生じる撓みを吸収できるように、らせん溝３１ｂの幅は、誘導突起３２ａの太さよりも大きく成形されている。
【００６０】
以下の説明において、図７（Ａ）に示すように、らせん溝３１ｂの両端部のうち一方の端部を起点３１ｅとし、他方の端部を終点３１ｆとする。また図８に示すように翼板３２は、その誘導突起３２ａが起点３１ｅもしくは終点３１ｆに位置するときに、後述する閉鎖位置Ｐもしくは開放位置Ｑに位置する。
【００６１】
２つのらせん溝３１ｂは、互いに同じ形状をしており、垂直軸Ｘを中心として互いに１８０度回転した状態で円筒面３１ａに設けられている。すなわち図７（Ｂ）に示すように、２つのらせん溝３１ｂのうち一方のらせん溝３１ｂの起点３１ｅは、他方のらせん溝３１ｂの起点３１ｅの垂直軸Ｘを挟んだ反対側に位置する。同様に、２つのらせん溝３１ｂのうち一方のらせん溝３１ｂの終点３１ｆは、他方のらせん溝３１ｂの終点３１ｆの垂直軸Ｘを挟んだ反対側に位置する。言い換えると、壁面Ａに平行な面による起点３１ｅを通るカム軸３１の断面図（図７（Ｂ）の矢視図を参照）において、２つのらせん溝３１ｂの２つの起点３１ｅと垂直軸Ｘは、垂直軸Ｘを中に挟んで一直線上に並ぶ。同様に、壁面Ａに平行な面による終点３１ｆを通るカム軸３１の断面図において、２つのらせん溝３１ｂの２つの終点３１ｆと垂直軸Ｘは、垂直軸Ｘを中に挟んで一直線上に並ぶ。
【００６２】
らせん溝３１ｂの起点３１ｅもしくは終点３１ｆには、窪み（以下、係止窪み３１ｄとする）が設けられている。翼板３２の誘導突起３２ａは、らせん溝３１ｂの係止窪み３１ｄに脱着可能に嵌り、係止される。
【００６３】
本発明の換気レジスタ１は、らせん溝３１ｂの起点３１ｅもしくは終点３１ｆに係止窪み３１ｄを有するので、誘導突起３２ａが係止窪み３１ｄに嵌ったときに調整軸５１から伝わる手の感触から、翼板３２が閉鎖位置Ｐもしくは開放位置Ｑにあることを利用者が確認できる。
【００６４】
本発明の翼板３２は、フレーム３０に回転可能に軸止され、フレーム３０の中空３０ｂを遮断できる板である。図８（Ａ）に示すように翼板３２は、閉鎖位置Ｐに位置するときに、フレーム３０の中空３０ｂを遮断する。
【００６５】
図９は、本発明の翼板の説明図である。図９（Ａ）は、閉鎖位置Ｐにある翼板３２を後方から見たときの平面図である。図９（Ｂ）は、図９（Ａ）のＥ−Ｅ矢視図であり、図９（Ｃ）は、図９（Ａ）のＦ−Ｆ矢視図である。
【００６６】
翼板３２は、壁面Ａに平行に、一端ｍ１から他端ｍ２に向けて延びる仮想軸Ｍを有し、その仮想軸Ｍを中心として回転する。例えば、翼板３２の軸止の方法は、図９に示す実施例のように、翼板３２が、仮想軸Ｍに沿って翼板３２の両端から互いに反対方向に突出する２つの軸突起３２ｂを有しており、その軸突起３２ｂの前後を、図８に示すようにフレーム３０の内周面３０ｄの仮想軸Ｍ上に設けられた係止部３０ｇと押え具３８とで回転可能に挟むものであってよい。しかしこれに限らず、上述したような、その他の方法で翼板３２がフレーム３０に軸止されていてもよい。
【００６７】
図８に示すように本発明の換気レジスタ１は、フレーム３０の中空３０ｂ内に翼板３２を２つ有する。２つの翼板３２が有する２つの仮想軸Ｍは、互いの間にカム軸３１を挟み、互いに平行に延びる。２つの翼板３２は、各仮想軸Ｍを中心としてそれぞれが回転する。
【００６８】
図９に示すように翼板３２は、主翼板３３、副翼板３４、及び誘導突起３２ａを有する。主翼板３３、副翼板３４及び誘導突起３２ａは、仮想軸Ｍ上で連結する。主翼板３３、副翼板３４及び誘導突起３２ａは、一体に成形されていることが好ましい。しかしこれに限らず翼板３２は、主翼板３３、副翼板３４及び誘導突起３２ａのそれぞれの部品を組み合わせて形成されてもよい。
【００６９】
本発明の主翼板３３は、図９（Ａ）に示すように、仮想軸Ｍからフレーム３０の内周面３０ｄまでの中空３０ｂを遮断可能であり、その外縁３３ａがフレーム３０の円筒形状の内周面３０ｄに合う、半円形状の板である。翼板３２をフレーム３０に取り付けたときに、主翼板３３は、フレーム３０のフレーム内段差３０ｃより後方に位置する。そして主翼板３３は、フレーム内段差３０ｃより後方の範囲で仮想軸Ｍを中心として回転する。
【００７０】
図８（Ａ）に示すように翼板３２が閉鎖位置Ｐにあるときに、主翼板３３の外縁３３ａの前方側の面は、フレーム内段差３０ｃの後方側の面（以下、後面）に当接する。
【００７１】
通常、換気レジスタ１の内部を通る風は、後方（室外側）から前方（室内側）に向けて通る。本発明の換気レジスタ１は、主翼板３３がフレーム内段差３０ｃより後方に設けられている構成により、主翼板３３が後方から前方に向かう風に押され、フレーム内段差３０ｃの後面に押し付けられる。それにより主翼板３３の外縁３３ａの前方側の面とフレーム内段差３０ｃの後面とが密着し、翼板３２を閉鎖したときのフレーム３０の中空３０ｂの密閉性（翼板３２の遮断性）を高めている。
【００７２】
一方、翼板３２が開放位置Ｑにあるときには、主翼板３３の外縁３３ａは、図８（Ｂ）に示すように垂直軸Ｘに近接した位置に位置する。それにより主翼板３３が垂直軸Ｘにほぼ平行になり、フレーム３０の中空３０ｂを開放することができる。
【００７３】
図８（Ａ）に示すように副翼板３４は、２つの仮想軸Ｍ間の中空３０ｂを遮断する板である。副翼板３４には、図９（Ａ）に示すようにカム軸３１を通す半円形状の切欠き３４ａが設けられている。図８（Ａ）に示す実施例の副翼板３４は、翼板３２が閉鎖位置Ｐにあるときに、仮想軸Ｍから垂直軸Ｘに平行に延びる軸側副翼板３６と、軸側副翼板３６の反仮想軸側の端部３６ａから壁面Ａに平行に垂直軸Ｘに向けて延びる縁側副翼板３７と、を有する。つまり、軸側副翼板３６と縁側副翼板３７は、互いにほぼ直交している。
しかし本発明の副翼板３４の形状は、２つの仮想軸Ｍ間の中空３０ｂを遮断できる形状であれば、その他の形状でもよい。
【００７４】
また翼板３２が閉鎖位置Ｐにあるときに、副翼板３４の切欠き３４ａ周囲の後方側の面である当接部３４ｂ（図９（Ａ）を参照）が、カム軸３１の当接突起３１ｈの前方に当接し、密着する。それにより本発明の換気レジスタ１は、翼板３２が閉鎖位置Ｐにあるときの密閉性（フレーム３０の中空３０ｂの遮断性）を高めることができる。
【００７５】
また図６（Ａ）に示すように副翼板３４は、仮想軸Ｍに平行であり、垂直軸Ｘ側にオフセットした内縁３５を有する。図８と図９に示す実施例では、内縁３５は、縁側副翼板３７の端部に位置する辺縁である。
【００７６】
垂直軸Ｘと交差し、仮想軸Ｍに平行な仮想線を仮想線Ｎとした場合、図６（Ａ）に示すように、本発明の換気レジスタ１が有する２つの翼板３２のうち、一方の翼板３２の副翼板３４が、一方の仮想軸Ｍから仮想線Ｎまでのフレーム３０の中空３０ｂの通気性を遮断し、他方の翼板３２の副翼板３４が、他方の仮想軸Ｍから仮想線Ｎまでのフレーム３０の中空３０ｂの通気性を遮断する。
【００７７】
内縁３５には、図９に示すように、副翼板３４の厚さ方向における辺縁段差３５ａが設けられている。２つの翼板３２の辺縁段差３５ａは、翼板３２が閉鎖位置Ｐにあるときに、互いに重なり、前後方向の通気を妨げる。それにより本発明の換気レジスタ１は、２つの副翼板３４で、フレーム３０の中空３０ｂを隙間なく遮断できる。
【００７８】
これらの構成により本発明の翼板３２は、主翼板３３と副翼板３４とでフレーム３０の中空３０ｂを隙間なく遮断できる。
【００７９】
誘導突起３２ａは、その先端３２ｅがらせん溝３１ｂ内に嵌められた突起であり、翼板３２の垂直軸Ｘより一端ｍ１側の仮想軸Ｍ上から突出する。誘導突起３２ａは、カム軸３１に向けて仮想軸Ｍと平行な方向に延びる棒状の嵌入突起部３２ｄと、その嵌入突起部３２ｄと仮想軸Ｍを連結する連結軸部３２ｃとを有する。例えば図９に示す実施例では、連結軸部３２ｃが仮想軸Ｍに直交して設けられているが、本発明の誘導突起３２ａの形状は、これに限らない。誘導突起３２ａの形状は、仮想軸Ｍから間隔を隔てた位置であって、らせん溝３１ｂに嵌る位置に誘導突起３２ａの先端３２ｅ（すなわち図９に示す実施例では、嵌入突起部３２ｄの先端３２ｅ）を固定できる形状であれば、その他の形状でもよい。
【００８０】
この構成により、誘導突起３２ａは、カム軸３１が垂直軸Ｘを中心として回転することにより、らせん溝３１ｂに沿って前後方向に移動する。誘導突起３２ａの先端３２ｅ（すなわち嵌入突起部３２ｄの先端３２ｅ）と仮想軸Ｍとの距離は変化せず、仮想軸Ｍの位置は固定されているため、誘導突起３２ａがらせん溝３１ｂに沿って前後に移動するにつれて、誘導突起３２ａが仮想軸Ｍを中心として回転する。それにより仮想軸Ｍに対する連結軸部３２ｃの向き（角度）が変化する。その結果、翼板３２は、仮想軸Ｍを中心として回転する。
【００８１】
この構成により本発明の換気レジスタ１は、カム軸３１の回転による誘導突起３２ａの移動により、フレーム３０の中空３０ｂを遮断する閉鎖位置Ｐと中空３０ｂを開放する開放位置Ｑとの間で、翼板３２が仮想軸Ｍを中心に回転できる。
【００８２】
嵌入突起部３２ｄの先端３２ｅは、らせん溝３１ｂ内で回転する際に引っかからないように、円筒形状であることが好ましい。また誘導突起３２ａの垂直軸Ｘに直交する方向の移動により生じる撓みを吸収できるように、誘導突起３２ａは、例えば合成樹脂等の可撓性もしくは弾性のある素材により成形されていることが好ましい。
【００８３】
誘導突起３２ａは、垂直軸Ｘに直交する方向の移動により生じる撓みを誘導突起３２ａの素材（例えば合成樹脂）の可撓性もしくは弾性で吸収する。そのため誘導突起３２ａは、らせん溝３１ｂ内を移動する間、絶えずらせん溝３１ｂの内面に接している。この構成により誘導突起３２ａとらせん溝３１ｂとの間で生じる摩擦抵抗によりらせん溝３１ｂの途中（らせん溝３１ｂの両端の間）で誘導突起３２ａを止めることができるため、翼板３２の開閉の具合を微調整することができる。
これにより本発明の換気レジスタ１は、その中空３０ｂを通る風量を微調整することができる。
【００８４】
また本発明の換気レジスタ１の２つの翼板３２は、互いに同じ形状に成形されていることが好ましい。この場合、一方の翼板３２は、他方の翼板３２が軸止される位置から、垂直軸Ｘを中心に互いに１８０度回転した位置に軸止される。言い換えると、例えば図６（Ａ）に示す実施例では、一方の翼板３２（図６（Ａ）の右側の翼板３２）が、仮想軸Ｍの一端ｍ１を上方に、他端ｍ２を下方にした状態でフレーム３０に軸止されている場合、他方の翼板３２（図６（Ａ）の左側の翼板３２）は、仮想軸Ｍの一端ｍ１を下方に、他端ｍ２を上方にした状態でフレーム３０に軸止される。さらに言い換えると、フレーム３０に取り付けられた一方の翼板３２と他方の翼板３２とは、互いに垂直軸Ｘを中心とした点対称の関係になっている。
【００８５】
また副翼板３４の辺縁段差３５ａは、垂直軸Ｘより仮想軸Ｍの一端ｍ１側と他端ｍ２側とで互い違いになっていることが好ましい。つまり、例えば図９（Ａ）に示す仮想軸Ｍの一端ｍ１側の辺縁段差３５ａは、前方側の面が後方側の面より長く設けられており、他端ｍ２側の辺縁段差３５ａは、前方側の面が後方側の面より短く設けられている。言い換えると、例えば、図６（Ａ）に示す実施例では、閉鎖位置Ｐにある２つの翼板３２を前方（室内側）から見たときに、副翼板３４の辺縁段差３５ａは、カム軸３１より上方が右側の翼板３２の副翼板３４が前方側に位置しており、カム軸３１より下方は、左側の翼板３２の副翼板３４が前方側に位置している。
【００８６】
本発明の換気レジスタ１は、調整軸５１とカム軸３１がレジスタ本体３の中央（垂直軸Ｘ上）にあり、カム軸３１の２つのらせん溝３１ｂを、垂直軸Ｘを中心として互いに１８０度回転した位置に設けているので、２つの翼板３２を互いに同じ形状に形成することができる。それにより、１つの金型で、両方の翼板３２を成形することができる。すなわち１つの金型で翼板３２を複数成形し、それを垂直軸Ｘを中心に互いに１８０度回転させた状態でフレーム３０に取り付けるだけで、本発明の換気レジスタ１を製造することができる。
そのため、本発明の換気レジスタ１は金型が少ない分、従来の換気レジスタより製造費用を抑えることができる。
【００８７】
また上述した特許文献１と２の換気レジスタは、閉じた２つの翼板の間に、隙間が生じるおそれがあった。それに対し本発明の換気レジスタ１は、副翼板３４の内縁３５に辺縁段差３５ａが設けられており、翼板３２が閉鎖位置Ｐにあるときに、２つの辺縁段差３５ａが互いに重なるため、２つの翼板３２の間に隙間が生じにくい。
そのため本発明の換気レジスタ１は、従来の換気レジスタより、密閉性（フレーム３０の中空３０ｂの遮断性）を高めることができる。
【００８８】
上述した本発明の換気レジスタ１によれば、フェイス部５０に取り付けられた調整軸５１と、フレーム３０に取り付けられたカム軸３１とを嵌合させることにより、翼板３２を開閉する１本の軸を構成する。言い換えると、本発明の換気レジスタ１は、調整軸５１が脱着可能にカム軸３１に嵌合して、調整軸５１とカム軸３１とが１本の軸として機能する。そしてルーバ部５をレジスタ本体３から外すことにより、調整軸５１とカム軸３１との結合が外れ、ルーバ部５をレジスタ本体３に再度取り付けることにより、調整軸５１とカム軸３１が噛み合い、再び１本の軸として機能するように構成されている。
この構成により、例えば本発明の換気レジスタ１にフィルタ７を取り付けて使用する場合であっても、フレーム３０から外したフェイス部５０の裏側（後方側）から古くなったフィルタ７を外し、新しいフィルタ７の中央穴７ａに調整軸５１を通してフィルタ７をフェイス部５０の裏側に取り付け、ルーバ部５を再度レジスタ本体３に取り付けるだけで、容易に利用者がフィルタ７を交換することができる。
【００８９】
また誘導突起３２ａは、らせん溝３１ｂ内を移動する間、絶えずらせん溝３１ｂの内面に接している。そのため誘導突起３２ａとらせん溝３１ｂとの間で生じる摩擦抵抗によりらせん溝３１ｂの途中（らせん溝３１ｂの両端の間）で誘導突起３２ａを止めることができるため、翼板３２の開閉の具合を微調整することができる。
これにより本発明の換気レジスタ１は、その中空３０ｂを通る風量を微調整することができる。
【００９０】
また本発明の調整軸５１とカム軸３１は、互いに嵌合して１本の軸として機能するときには、フェイス部５０とフレーム３０との２点で回転可能に軸止されるため、調整軸５１とカム軸３１は、ぶれずに安定して回転することができる。
【００９１】
また本発明の換気レジスタ１は、カム軸３１の円筒面３１ａに設けられたらせん溝３１ｂ内に翼板３２から突出した誘導突起３２ａが移動可能に嵌合するので、カム軸３１が垂直軸Ｘを中心に回転することにより、誘導突起３２ａがらせん溝３１ｂに沿って前後に移動する。翼板３２はフレーム３０に軸止されている。それにより翼板３２は、フレーム３０の中空３０ｂを遮断する閉鎖位置Ｐと中空３０ｂを開放する開放位置Ｑとの間で回転することができる。
【００９２】
また本発明の換気レジスタ１は、調整軸５１とカム軸３１がレジスタ本体３の中央（垂直軸Ｘ上）に設けられているので、２つの翼板３２を互いに同じ形状に形成することができる。それにより、１つの金型で、２つの翼板３２の両方を成形できる。すなわち１つの金型で翼板３２を複数成形し、それを、垂直軸Ｘを中心に互いに１８０度回転させた状態でフレーム３０に取り付けるだけで、本発明の換気レジスタ１を製造することができる。
そのため、本発明の換気レジスタ１は金型が少ない分、従来の換気レジスタより製造費用を抑えることができる。
【００９３】
またカム軸３１の円筒面３１ａに設けられた、誘導突起３２ａを誘導するための溝（らせん溝３１ｂ）はらせん状である。そのため、カム軸３１を金型で形成した場合、らせん溝３１ｂの形状に合わせて捩じりながら垂直軸Ｘの軸方向に引き出すことにより、金型からカム軸３１を容易に引き出すことができる。そのため、本発明のカム軸３１は、らせん溝３１ｂを有する形状により、金型で容易に製造することができる。
【００９４】
なお本発明は上述した実施の形態に限定されず、本発明の要旨を逸脱しない範囲で種々変更を加え得ることは勿論である。
【符号の説明】
【００９５】
１  換気レジスタ、３  レジスタ本体、５  ルーバ部、
７  フィルタ、７ａ  中央穴、
３０  フレーム、３０ａ  前方開口、３０ｂ  中空、３０ｃ  フレーム内段差、
３０ｄ  内周面、３０ｅ  枠部、３０ｆ  鍔部、３０ｇ  係止部、
３０ｈ  第２軸受穴、３０ｉ  支持棒、
３１  カム軸、３１ａ  円筒面、３１ｂ  らせん溝、３１ｃ  前端部、
３１ｄ  係止窪み、３１ｅ  起点、３１ｆ  終点、
３１ｇ  円筒孔、３１ｈ  当接突起、
３２  翼板、３２ａ  誘導突起、３２ｂ  軸突起、
３２ｃ  連結軸部、３２ｄ  嵌入突起部、３２ｅ  先端、
３３  主翼板、３３ａ  外縁、
３４  副翼板、３４ａ  切欠き、３４ｂ  当接部、
３５  内縁、３５ａ  辺縁段差、
３６  軸側副翼板、３６ａ  反仮想軸側の端部、
３７  縁側副翼板、３８  押え具、
５０  フェイス部、５０ａ  羽板、５０ｂ  スリット、５０ｃ  第１軸受穴、
５１  調整軸、５２  ツマミ部、
５３  継手部、５３ａ  後端部、５３ｂ  円筒突起、
５４  キー、５５  キー溝、
Ａ  壁面、Ｘ  垂直軸、Ｍ  仮想軸、ｍ１  一端、ｍ２  他端、
Ｎ  仮想線、Ｐ  閉鎖位置、Ｑ  開放位置
【図１】
2015218961.tif 000003
【図２】
2015218961.tif 000004
【図３】
2015218961.tif 000005
【図４】
2015218961.tif 000006
【図５】
2015218961.tif 000007
【図６】
2015218961.tif 000008
【図７】
2015218961.tif 000009
【図８】
2015218961.tif 000010
【図９】
2015218961.tif 000011